(57)【要約】【課題】負荷が複数存在する空気調和装置において、それぞれの空調負荷の変化に対して、短時間で安定した効率の良い温熱または冷熱供給ができるようにする。【解決手段】  流量調整弁２３ａ〜２３ｅの開度を制御する弁開度制御手段２４ａ〜２４ｅとポンプ２１の流量を制御するポンプ流量制御手段２５とにより、ポンプ流量制御手段２５は、流量調整弁２３ａ〜２３ｅの開度のうち最大となるものが全開とするように制御する最小抵抗制御を行うとともに、空調機２２ａ〜２２ｅの運転台数の変化に応じて、ポンプ流量を調節する。これにより、省エネルギーが実現でき、さらに空調負荷の変化に対して、短時間で安定した効率の良い温熱または冷熱供給が可能となる。【選択図】図１
2010084951.tif 000002
【特許請求の範囲】
【請求項１】
第１の媒体が循環する第１のサイクルと、
第２の媒体が循環する第２のサイクルと、を備え、
前記第１のサイクルは、温熱または冷熱を生成して前記第１の媒体に供給する熱源機と、
前記第１の媒体の温熱または冷熱を熱交換により前記第２の媒体に供給する熱交換器と、を備え、
前記第２のサイクルは、前記熱交換器と、
前記第２の媒体を駆動させるポンプと、
このポンプの流量を制御するポンプ流量制御手段と、を備え、
前記第２のサイクルの一部が複数の分岐路に分岐し、各分岐路は、
前記第２の媒体の温熱または冷熱を負荷側に供給する空調機と、
前記第２の媒体の前記空調機に流れる流量を調整する流量調整弁と、
前記流量調整弁の開度を制御する弁開度制御手段と、を備え、
前記ポンプ流量制御手段は、前記複数の流量調整弁の開度のうち最大となるものを選択し、選択した流量調整弁の開度が所定の上限値となるように前記ポンプの流量を制御するとともに、前記空調機の運転台数の変化に応じて前記ポンプの流量を調節することを特徴とする空気調和装置。
【請求項２】
第１の媒体が循環する第１のサイクルと、
第２の媒体が循環する第２のサイクルと、を備え、
前記第１のサイクルは、温熱または冷熱を生成して前記第１の媒体に供給する熱源機と、
前記第１の媒体の温熱または冷熱を熱交換により前記第２の媒体に供給する熱交換器と、を備え、
前記第２のサイクルは、前記熱交換器と、
前記第２の媒体を駆動させるポンプと、
このポンプの流量を制御するポンプ流量制御手段と、を備え、
前記第２のサイクルの一部が複数の分岐路に分岐し、各分岐路は、
前記第２の媒体の温熱または冷熱を負荷側に供給する空調機と、
前記第２の媒体の前記空調機に流れる流量を調整する流量調整弁と、
前記流量調整弁の開度を制御する弁開度制御手段と、を備え、
前記ポンプ流量制御手段は、前記複数の流量調整弁の開度のうち最大となるものを選択し、前記選択した流量調整弁の開度が前記所定の上限値よりも小さい場合には、前記ポンプの流量を所定の調整量だけ低減し、
前記弁開度制御手段は、前記ポンプの流量を低減したことで発生する運転能力の低下分を補うために前記選択した流量調整弁の開度が前記所定の上限値に到達するまで前記複数の流量調整弁の開度を増大させることを特徴とする請求項１に記載の空気調和装置。
【請求項３】
前記流量調整弁の制御時間間隔と、ポンプ回転数の制御時間間隔が異なることを特徴とする請求項１または請求項２に記載の空気調和装置。
【請求項４】
前記ポンプ流量制御手段は、前記ポンプの流量制御と同期して、前記熱源機の能力を増減させることを特徴とする請求項１〜３のいずれかに記載の空気調和装置。
【請求項５】
前記流量調整弁は二方弁であることを特徴とする請求項１〜４のいずれかに記載の空気調和装置。
【請求項６】
前記分岐路は、前記空調機の入口と出口を接続するバイパスを備え、
前記流量調整弁が三方弁であり、一口が前記バイパスに接続されることを特徴とする請求項１〜４のいずれかに記載の空気調和装置。
【請求項７】
前記第２の媒体が水またはブラインであることを特徴とする請求項１〜６のいずれかに記載の空気調和装置。
【請求項８】
第１の媒体が循環する第１のサイクルと、
第２の媒体が循環する第２のサイクルと、を備え、
前記第１のサイクルは、温熱または冷熱を生成して前記第１の媒体に供給する熱源機と、
前記第１の媒体の温熱または冷熱を熱交換により前記第２の媒体に供給する熱交換器と、を備え、
前記第２のサイクルは、前記熱交換器と、
前記第２のサイクルの一部が複数の分岐路に分岐し、各分岐路は、
前記第２の媒体の温熱または冷熱を負荷側に供給する空調機と、
前記第２の媒体の前記空調機に流れる流量を調整する流量調整弁と、
前記流量調整弁の開度を制御する弁開度制御手段と、を備え、
前記第２の媒体は、二酸化炭素であり、
前記熱交換器は、前記第２の媒体の密度差を利用して前記第２の媒体を自然に循環させる自然循環方式において、前記第２の媒体の密度を変えることを特徴とする空気調和装置。
【発明の詳細な説明】
【技術分野】
【０００１】
本発明は熱源機で生成した温熱または冷熱を複数存在する負荷に対し効率よく分配をおこなう空気調和装置に関するものである。
【背景技術】
【０００２】
従来より、空気調和装置における省エネルギー制御の一つとして、空調機へ媒体を循環させるポンプの電気消費量を最小にする最小抵抗制御が知られている。この最小抵抗制御では、空調機への媒体の供給通路に設けられた制御弁の開度が最大となるように、すなわち制御弁において消耗される圧力損失が最小となるようにポンプ流量を制御する（例えば特許文献１参照）。
【０００３】
【特許文献１】特開２００４−３１７０００号公報（第９頁〜第１５頁、図１）
【発明の開示】
【発明が解決しようとする課題】
【０００４】
ところが、上記特許文献１で示される従来例では、運転中の室内機の中で、能力が不足あるいは余剰となる程度の負荷変動には追従できるが、室内機の運転台数が大きく変化する様な不連続で過渡的な負荷パターンでは、変化に追従できなかったり、ハンチングが発生したりして安定するまでの時間が長くなり、過渡を含めた効率が低下する虞がある。
本発明は、上記のような課題を解決するために為されたものであり、負荷の変動が伴う場合であっても短時間で安定する効率のよい温熱または冷熱供給ができることを目的としている。
【課題を解決するための手段】
【０００５】
本発明に係る空気調和装置は、第１の媒体が循環する第１のサイクルと、第２の媒体が循環する第２のサイクルと、を備え、第１のサイクルは、温熱または冷熱を生成して第１の媒体に供給する熱源機と、第１の媒体の温熱または冷熱を熱交換により第２の媒体に供給する熱交換器と、を備え、第２のサイクルは、熱交換器と、第２の媒体を駆動させるポンプと、ポンプの流量を制御するポンプ流量制御手段と、を備え、第２のサイクルの一部が複数の分岐路に分岐し、各分岐路は、第２の媒体の温熱または冷熱を負荷側に供給する空調機と、第２の媒体の前記空調機に流れる流量を調整する流量調整弁と、流量調整弁の開度を制御する弁開度制御手段と、を備え、ポンプ流量制御手段は、複数の流量調整弁の開度のうち最大となるものを選択し、選択した流量調整弁の開度が所定の上限値となるようにポンプの流量を制御するとともに、空調機の運転台数の変化に応じてポンプの流量を調節するものである。
【発明の効果】
【０００６】
本発明によれば、ポンプ流量制御手段が空調機の運転台数の変化に応じてポンプの流量を調節するので、多数に分散した負荷が個別に変化する場合であっても、短時間で安定した効率のよい温熱または冷熱供給ができる。
【発明を実施するための最良の形態】
【０００７】
実施の形態１．
以下この発明の実施の形態１について説明する。図１はこの発明の実施の形態１に係わる空気調和装置の回路図である。図１に示すように、空気調和装置１は、第１の媒体である冷媒が循環する第１のサイクル１０と、第２の媒体である利用側媒体が循環し、一部が複数の分岐路３０ａ〜３０ｅに分岐して構成される第２のサイクル２０と、を備え、第１のサイクル１０は、温熱または冷熱を生成して冷媒に供給する熱源機１１と、冷媒の温熱または冷熱を利用側媒体に供給する熱交換器１２と、を備え、第２のサイクル２０は、熱交換器１２と、利用側媒体を駆動させるポンプ２１と、分岐路３０ａ〜３０ｅと、分岐路３０ａ〜３０ｅに対応して個別に設けられ、利用側媒体の温熱または冷熱を空気と熱交換する空調機（室内機）２２ａ〜２２ｅと、分岐路３０ａ〜３０ｅに対応して個別に設けられ空調機２２ａ〜２２ｅに流れる利用側媒体の流量を調整する複数の流量調整弁２３ａ〜２３ｅと、流量調整弁２３ａ〜２３ｅに対応して個別に設けられ、流量調整弁２３ａ〜２３ｅの開度を制御する複数の弁開度制御手段２４ａ〜２４ｅと、空調機２２ａ〜２２ｅの個別の運転状況に応じてポンプ２１の流量を調節するポンプ流量制御手段２５と、から構成されている。
また、空調機２２ａ〜２２ｅは、ファン２６ａ〜２６ｅと、このファン２６ａ〜２６ｅによって供給される室内の空気と第２のサイクル２０内を流れる利用側媒体との間で熱交換する空気熱交換器２７ａ〜２７ｅと、から構成されている。
なお、利用側媒体は水でもブラインでもよい。
また、流量調整弁２３ａ〜２３ｅは二方弁であり、二方弁の開度が小さいと二方弁の流路抵抗が大、開度が大きいと二方弁の流路抵抗が小となり、開度に応じて流路抵抗が連続的に変化する。よって二方弁の開度による空調機２２ａ〜２２ｅの流量調整が可能である。なお、弁開度制御手段２４ａ〜２４ｅとポンプ流量制御手段２５は伝送線で接続され、相互に情報が伝送可能になっている。（だから、ポンプ流量制御手段２５は流量調整弁２３ａ〜２３ｅの開度がわかる）
また、熱源機１１は、圧縮機１１ａと、四方弁１１ｂと、室外熱交換器１１ｃと、室外ファン１１ｄと、減圧弁１１ｅと、逆止弁１１ｆ、１１ｇ、１１ｈ、１１ｉと、アキュムレータ１１ｊとから構成される。
【０００８】
次に、本実施の形態１における動作を利用側媒体の流れを中心として図１を参照しながら説明する。
以下、冷熱を供給する場合（冷房運転）について説明する。
この空気調和装置１では、第１のサイクル１０において、熱源機１１によって生成された冷熱が、熱源機１１内の圧縮機１１aによって駆動される冷媒を介して熱交換器１２に運ばれ、この熱交換器１２で、熱交換により第２のサイクル２へ受け渡される。熱交換を終えた冷媒は再び熱源機１へ戻る。熱交換器１２は例えばプレート熱交換器であり、熱源機１１で生成された冷熱は、この熱交換器１２によって冷媒から第２のサイクル２０を流れる利用側媒体へと伝達される。第２のサイクル２０では利用側媒体はポンプ２１により駆動動力を得て流れ、分岐して各空調機２２ａ〜２２ｅに入る。各空調機２２ａ〜２２ｅ にて利用側媒体が空気熱交換器２７ａ〜２７ｅを通過する際にファン２６ａ〜２６ｅにより搬送されて空気熱交換器２７ａ〜２７ｅを通過する空気と熱交換することで、冷熱は熱負荷である空気へと到達する。冷熱を伝達した後の利用側媒体は流量調整弁２３ａ〜２３ｅを通過し、集約して再び熱交換器１２へ至る。流量調整弁２３ａ〜２３ｅの弁開度による流路抵抗により、各空調機２２ａ〜２２ｅの空気熱交換器２７ａ〜２７ｅを流れる利用側媒体の流量が定まる。
次に、熱源機１１の内部の動作について説明する。四方弁１１ｂは図中の実線で示すように接続され、圧縮機１１ａにより圧縮された高温高圧のガス冷媒が四方弁１１ｂを介して室外熱交換器１１ｃに至る。ここで、室外ファン１１ｄにより搬送される外気と冷媒が熱交換され、外気の持つ冷熱が冷媒へ受け渡されて、室外熱交換器１１ｃを出る時には低温高圧の液冷媒となる。その後、冷媒は減圧弁１１ｅで減圧され低圧の二相冷媒となり、逆止弁１１ｆを通過して熱交換器１２で利用側媒体と対向流形式で熱交換され、冷媒が持つ冷熱が利用側媒体に受け渡される。熱交換器１２を通過した冷媒は低圧ガス冷媒であり、逆止弁１１ｇ、四方弁１１ｂ、アキュームレータ１１ｊを通過し、再び圧縮機１１ａに至る。圧縮機１１ａの回転数増減により冷媒の循環量が変化し、冷熱の生成量もこれに応じて増減する。
本実施の形態１では空調機を５台接続した場合を記載したが、５台でなくとも、複数台であれば良い。空調機２２ａ〜２２ｅと流量調整弁２３ａ〜２３ｅの順序は逆であっても良いし、熱交換器１２とポンプ２１の順序が逆でも良い。また、空気の代わりに水と熱交換させる温水器や冷水器であっても構わない。
【０００９】
図２は本実施の形態１におけるポンプ流量制御手段２５の動作を示すフローチャートである。次に、本実施の形態１におけるポンプ流量制御手段２５の動作を図１と図２を参照しながら説明する。
まず、ユーザは空気調和装置１の図示しない電源スイッチを投入することにより、空気調和装置１が起動される。これにより、ポンプ流量制御手段２５は、S101で熱源機１１や空調機２２ａ〜２２ｅの起動やさまざまな初期設定を行う。次に、ポンプ流量制御手段２５はS102で流量調整弁２３ａ〜２３ｅの初期開度、S103でポンプ２１の初期回転数が設定され、S104でポンプ２１が起動する。ポンプ流量制御手段２５はS105で一定時間Ｔintが経過するまでは初期設定のまま運転を行い、一定時間Ｔintが経過すると次のステップへ進む。Ｔintは主に熱源機１１の状態が安定に向う時間によって定まり、例えば１０分である。次に、S106で弁開度制御手段２４a〜２４eが流量調整弁２３ａ〜２３ｅを並行して個別制御する。なお、この制御は運転中の空調機に対してのみ実施され、運転しない空調機に対応する流量調整弁２３は弁開度制御手段２４によって全閉もしくは全閉に近い状態に制御される。
S107からＳ115は、運転している空調機２２ａに関する制御であるが、他の運転している空調機についても同様である。弁開度制御手段２４aはS107で空調機２２ａでユーザによって設定された目標温度aと、図示しない温度センサが検知する室内温度aより
（目標温度差ａ）＝（室内温度a）-（目標温度a）
を演算する。次に、弁開度制御手段２４aはS108で一定時間Tｌが経過したか判定し、経過しない場合はS107へ戻り、経過した場合はS109へ進み目標温度差ａ（dTa）＞０か判定する。S109での判定結果が真の場合、弁開度制御手段２４aはＳ110で流量調整弁２３ａの開度を  La←La-ｄLa  に変更しS112へ進む。S109で偽の場合、弁開度制御手段２４aはS112で流量調整弁２３ａの開度を  La←La+ｄLa  に変更しS112へ進む。なお、ｄLaは負の数である。
次に、弁開度制御手段２４aはS112で流量調整弁２３ａの開度Laが最小開度Lmina以下か判定し、真の場合はS113でLaを最小開度Lminaに変更してS116へ進む。S112での判定結果が偽の場合はS114へ進み、流量調整弁２３ａの開度Laが最大開度Lmaxa以上か判定する。S114での判定結果が真の場合は、弁開度制御手段２４aはS115で流量調整弁２３ａの開度Laを最大開度Lmaxaに変更してS116へ進み、S114における判定結果が偽の場合は、そのままＳ116へ進む。
【００１０】
このようにして空調機２２ａで負荷に見合う冷熱を供給できるように流量調整弁２３ａの開度を調整して適度な流量とする。Ｓ107からＳ115までの制御と同じ制御が空調機２２ａ〜２２ｅの内、運転中の空調機全てに対して同時に並行して実施される。
【００１１】
次に、ポンプ流量制御手段２５はS116で空調機がどの程度運転されているかを演算する。Qｊ（ｊ＝１，２，３，…）は各空調機の能力を示しており、ΣQjはその総量である。次にポンプ流量制御手段２５は、S117で一定時間Tpが経過したか判断し、経過してない場合はS106へ戻る。TpはTｌより十分大きく、例えば5分である。S117での判定結果が真の場合（一定時間Tpが経過した場合）は、S118でΣQjが以前のΣQjであるΣQjoldと同じか判断する。S118での判定結果が真の場合にはいわゆる最小抵抗制御を行う。即ち、ポンプ流量制御手段２５はS119で運転中の空調機に対応する流量調整弁２３の内で開度が最大のもの（Lmax_i）を演算し、S120でこの開度（Lmax_i）が設定最大開度Lmax1より小さいか判定する。
S120での判定結果が真の場合、ポンプ流量制御手段２５は、流量抵抗を減らすためにS121でポンプの回転数npを、np→np-dnpと低減させてS122へ進んだ後、ポンプの回転数の低減により能力が低下する分、流量調整弁の開度を増大させて補うためにS106へ進む。そして、最大の開度をもつ流量調整弁の開度（Lmax_i）が設定最大開度Lmax1より小さい間は、この動作を繰り返すことで、（Lmax_i）が設定最大開度Lmax1と一致するようになる。この結果、流量抵抗が最小となり、全体の能力は増大することになる。なお、dnpは回転数の調整量であり正の数である。S120での判定結果が偽の場合、ポンプ流量制御手段２５はS123で（Lmax_i）が設定最大開度Lmaxより大きいか判定する。S123での判定結果が真の場合、このままでは（Lmax_i）が設定最大開度Lmaxを超えているため、制御不可能となる。そこで、ポンプ流量制御手段２５は流量調整弁の開度が最大のもの（Lmax_i）を設定最大開度Lmaxに一致させるためにS124でポンプの回転数npを、np→np+dnpと増加させてS122へ進む。S123での判定結果が偽の場合はそのままS122へ進む。
なおLmax１≦Lmaxである。
次に、ポンプ流量制御手段２５はS122で前回のΣQjoldに現在のΣQjを代入し、S106へ戻る。
なお、上記のLmax１に示すように、設定最大開度は、流量調整弁の設計上の上限開度である必要はなく、例えば上限開度の90％であってもよい。物理的に弁が全開、または、全閉となっていなくてもよく、弁の信頼性等を考慮して予め定めた全開、または、全閉に近い最大開度でよい。
S118での判定結果が偽の場合は空調機の運転台数が変化しており、ポンプ流量制御手段２５はこれに応じでポンプ回転数npを変化させるために、S125へ進みポンプの回転数をΣQj/ΣQjoldに比例させる値とし（np→np×ΣQj/ΣQjold）、この後S122で前回のΣQjoldに現在のΣQjを代入し、S106へ戻る。
【００１２】
これらの動作により、ポンプ回転数を空調機の運転状況に短時間で追従させることができる。なおかつ流量調整弁の開度の関係は保たれるので、各空調機に分配される流量を適切に調整できる。
また流量調整弁の制御時間間隔と、ポンプ回転数の制御時間間隔が異なっているので、ハンチングなど制御安定性を阻害する要因を除去することができる。また、運転台数そのものでなく、Ｑｊ（能力）を基に回転数を変えることで、能力の大きい大型の室内機と、能力の小さい小型の室内機とで重み付けをすることができ、安定した制御が実現できる。
なお、図２のフローチャートにおけるdLa、dnpは固定値である必要はなく、運転状況等により変化させても良い。また、S125でΣQjに応じてポンプ回転数npを変化させるが、常に比例（np→np×ΣQj/ΣQjold）ではなく、現在のポンプ回転数npに応じて重み付けを付加しても良い（np→k（np）×np×ΣQj/ΣQjold  ここで、k（np）は重み付け関数であり、k（np）は１近傍の値であるが、npに応じて変化する）。また、各室内機において、能力が不足しているかあるいは能力が余剰状態であるかの判定は、室内温度と目標温度との比較結果を基準としていたが、室内熱交換器の出入口温度差と目標温度差との比較結果を判定基準としても同様の効果が得られる。
また、本実施の形態では負荷の変動に応じて調整可能なポンプ流量を安定して実現し、熱源機１１が生成した冷熱を適切に負荷側に供給することができるが、熱源機１１での冷熱生成量自体は熱源機の制御、例えば熱交換器１２における冷媒２の入口温度や出口温度を検知して圧縮機１１aの回転数増減により冷媒の循環量を増減させることにより冷熱生成量を変化させる。このため、負荷の変化に対して熱源機の冷熱生成が追従できず、遅れる可能性がある。そこで、空調機の発停などの情報を熱源機にも伝達し、ポンプ２１の回転数と同様に、熱源機１１の図示しない制御手段の制御の下に圧縮機１１aの回転数を増減させることにより、短時間で安定した冷熱供給が実現できる。
なお、本実施の形態は冷熱を供給する場合（冷房運転）について説明したが、温熱を供給する場合（暖房運転）についても同等の効果が得られる。この場合、四方弁１１bは図中の破線で示すように接続され、室外ファン１１dにより搬送される外気と冷媒が熱交換され、外気の持つ温熱が冷媒へ受け渡されて、室外熱交換器１１cを出ると高温低圧のガス冷媒となる。そして、四方弁11ｂ、アキュムレータ11ｊを介して、圧縮機１１aに吸入され、電気入力による圧縮仕事によりさらなる温熱が冷媒へ受け渡され高温高圧のガス冷媒となる。圧縮機11aを出た冷媒は、四方弁11ｂ、逆止弁１１iを通過して熱交換器１２で利用側媒体に対向流形式で熱交換され、冷媒が持つ温熱が利用側媒体に受け渡される。その後逆止弁１１h、減圧弁１１eを通過し、再び室外熱交換器１１cへ至る。逆止弁１１f〜１１iにより、温熱供給（冷房運転）、温熱供給（暖房）どちらの場合であっても、熱交換器１２において対向流形式で熱交換できる。また、暖房運転ではフローチャートS111、S112でのdLaは正の数である。
【００１３】
なお、ポンプはインバータで回転数制御することで流量制御を実施しているが、ポンプを複数台設定して台数制御を段階的に行っても同等の効果が得られる。
【００１４】
また、図１の分岐路に空気熱交換器２２a〜２２eの各々をバイパスするバイパス流路を分岐路に設けてもよい。図３は、図１の回路図に空気熱交換器２２a〜２２eの各々をバイパスするバイパス流路を分岐路に追加した場合の構成を示す回路図である。
図３に示すように、分岐路３０ａ〜３０ｅの空気熱交換器２２a〜２２eの各々の入口側と出口側をバイパスするバイパス流路３１ａ〜３１ｅを設け、バイパス経路３１ａ〜３１ｅの一端を流量調整弁２８ａ〜２８ｅに接続する。この場合、流量調整弁２８ａ〜２８ｅとして三方弁が用いられる。三方弁の開度が小さいと、バイパス経路３１ａ〜３１ｅから熱交換器１２へ至る経路の三方弁内流路抵抗よりも、空気熱交換器２７a〜２７eから熱交換器１２へ至る経路の三方弁内流路抵抗の方が大きい。三方弁の開度が増加するに従い、前者の三方弁内流路抵抗は単調増加し、後者の三方弁内流路抵抗は単調減少し、流路抵抗の大小関係が逆転する。よって開度により室内機２２a〜２２eの流量調整が可能である。
【００１５】
なお、利用側媒体が二酸化炭素であれば、冷房運転の場合には、熱交換器で利用側媒体が冷やされることで熱交換器の出口における媒体の密度が高くなり、空気熱交換器で利用側媒体が温められることで空気熱交換器の出口の密度が低くなるため、媒体の密度差を駆動源とする自然循環方式にすることが可能になる。暖房運転の場合には、空気熱交換器で利用側媒体が冷やされることで、空気熱交換器の出口における媒体の密度が高くなり、熱交換器で利用側媒体が温められることで熱交換器の出口の密度が低くなるため、媒体の密度差を駆動源とする自然循環方式にすることが可能になる。これにより、ポンプを廃止でき電気入力を削減することができる。
【図面の簡単な説明】
【００１６】
【図１】この発明の実施の形態１における空気調和装置の構成を示す回路図である。
【図２】この発明の実施の形態１における空気調和装置の制御方法を示すフローチャートである。
【図３】この発明の実施の形態１における空気調和装置の構成を示す別の回路図である。
【符号の説明】
【００１７】
１  空気調和装置、１０  第１のサイクル、１１  熱源機、１１a  圧縮機、１１ｂ  四方弁、１１c  室外熱交換器、１１d  室外ファン、１１e  減圧弁、１１f〜１１ｉ  逆止弁、１１j  アキュムレータ、１２  熱交換器、２０  第２のサイクル（循環サイクル）、２１  ポンプ、２２、２２ａ〜２２ｅ  空調機、２３、２３ａ〜２３ｅ  流量調整弁、２４ａ〜２４ｅ  弁開度制御手段、２５  ポンプ流量制御手段、２６ａ〜２６ｅ  ファン、２７ａ〜２７ｅ  空気熱交換器、２８ａ〜２８ｅ  流量調整弁、３０ａ〜３０ｅ  分岐路、３１ａ〜３１ｅ  バイパス経路。
【図１】
2010084951.tif 000003
【図２】
2010084951.tif 000004
【図３】
2010084951.tif 000005